(57)【要約】【課題】本発明は、簡単な構造で在庫管理の手間を省くことのできる電気機器収納用箱体を提供することを目的としている。【解決手段】背面板、上下板と側板とから成る第一の箱体本体と、背面板を持たず上下板と側板とから成る第二の箱体本体とを重ね合わせると共に、第一の箱体本体の側板に第一の調節レールを内側に向けて突設し、第一の調節レールに対向する位置に、第二の箱体本体の側板に第二の調節レールを設け、第一の調節レールと第二の調節レールにはそれぞれ螺子孔を設け、第一の箱体本体と第二の箱体本体とを重ね合わせた状態で、第一の調節レールと第二の調節レールとがスライドすることにより、第一の箱体本体と第二の箱体本体との固定位置を必要な配線用スペースに合わせて調節し、螺子孔に固定ねじを挿通し固定可能であることを特徴とする。【選択図】図２
2007274815.tif 000002
【特許請求の範囲】
【請求項１】
回路遮断器等の電気機器を収納する電気機器収納用箱体であって、背面板、上下板と側板とから成る第一の箱体本体と、背面板を持たず上下板と側板とから成る第二の箱体本体とを重ね合わせると共に、前記第一の箱体本体の側板に第一の調節レールを内側に向けて突設し、該第一の調節レールに対向する位置に、前記第二の箱体本体の側板に第二の調節レールを設け、前記第一の調節レールと第二の調節レールにはそれぞれ螺子孔を設け、前記第一の箱体本体と第二の箱体本体とを重ね合わせた状態で、前記第一の調節レールと第二の調節レールとがスライドすることにより、第一の箱体本体と第二の箱体本体との固定位置を必要な配線用スペースに合わせて調節し、前記螺子孔に固定ねじを挿通し固定可能であることを特徴とする電気機器収納用箱体。
【発明の詳細な説明】
【技術分野】
【０００１】
本発明は、回路遮断器等の電気機器を収納する電気機器収納用箱体に関するものである。
【背景技術】
【０００２】
電気機器収納用箱体は、従来、背面と上下板、側板とに囲まれた箱体本体に電気機器を収納して構成していた。搭載する電気機器の数や大きさ、それに伴う入線電線の太さや本数に合わせた配線用スペースが必要となり、種々のサイズの電気機器収納用箱体を用意していた。
【非特許文献１】２００５カワムラ総合カタログ電設資材編  平成１７年５月１日発行
【発明の開示】
【発明が解決しようとする課題】
【０００３】
上記従来の電気機器収納用箱体では、搭載される電気機器の数や大きさ、それに伴う入線電線の太さや本数に合わせた配線用スペースが必要となり、種々のサイズの電気機器収納用箱体を用意していたため、在庫管理が煩雑であった。
【課題を解決するための手段】
【０００４】
そこで本発明は、簡単な構造で在庫管理の手間を省くことのできる電気機器収納用箱体を提供することを目的とし、その構造は、背面板、上下板と側板とから成る第一の箱体本体と、背面板を持たず上下板と側板とから成る第二の箱体本体とを重ね合わせると共に、第一の箱体本体の側板に第一の調節レールを内側に向けて突設し、第一の調節レールに対向する位置に、第二の箱体本体の側板に第二の調節レールを設け、第一の調節レールと第二の調節レールにはそれぞれ螺子孔を設け、第一の箱体本体と第二の箱体本体とを重ね合わせた状態で、第一の調節レールと第二の調節レールとがスライドすることにより、第一の箱体本体と第二の箱体本体との固定位置を必要な配線用スペースに合わせて調節し、螺子孔に固定ねじを挿通し固定可能であることを特徴とする。
【発明の効果】
【０００５】
背面板、上下板と側板とから成る第一の箱体本体と、背面板を持たず上下板と側板とから成る第二の箱体本体とを重ね合わせると共に、第一の箱体本体の側板に第一の調節レールを内側に向けて突設し、第一の調節レールに対向する位置に、第二の箱体本体の側板に第二の調節レールを設け、第一の調節レールと第二の調節レールにはそれぞれ螺子孔を設け、第一の箱体本体と第二の箱体本体とを重ね合わせた状態で、第一の調節レールと第二の調節レールとがスライドすることにより、第一の箱体本体と第二の箱体本体との固定位置を必要な配線用スペースに合わせて調節し、螺子孔に固定ねじを挿通し固定可能であるため、分電盤を施工する際、配線用のスペースが不足していた場合、その施工現場で電気機器収納用箱体の奥行きを延長でき、簡単に対応可能である。また、同じ部材でいくつかのサイズの電気機器収納用箱体を兼用できるため、在庫数量を抑え、在庫管理の手間を省くことができる。
【発明を実施するための最良の形態】
【０００６】
簡単な構造で在庫管理の手間を省く電気機器収納用箱体を提供するという目的を、箱体本体の奥行きを調整するという容易な作業で実現した。
【実施例１】
【０００７】
本発明に係る電気機器収納用箱体の実施例を図１〜図２の添付図面に基づいて説明する。
【０００８】
電気機器収納用箱体１は、第一の箱体本体２と第二の箱体本体３とを組み合わせて、箱体本体４を構成する。第一の箱体本体２は、背面板２ａ、上下板２ｂ、側板２ｃとから成り、一方、第二の箱体本体３は、上下板３ａと側板３ｂとから成り背面板を持たない。
【０００９】
箱体本体４の側板２ｃ、３ｂ内側に、レール５が設けられる。第二の箱体本体３の側板３ｂ内側に、調節レール５ａを設ける。また、第一の箱体本体２に、第二の箱体本体３に設けられた調節レール５ａに対向し、調節レール５ａ上をスライド移動可能であるスライドレール５ｂを、側板２ｃ内側へ突出させ形成する。調節レール５ａとスライドレール５ｂにはそれぞれ固定ねじが挿通可能である複数の螺子孔６を設ける。
【００１０】
第一の箱体本体２と第二の箱体本体３とを重ね合わせ、調節レール５ａにレール５ｂが重なる状態とし、螺子孔６にそれぞれ固定ねじを挿通し締め付け固定することで、箱体本体４を構成する。
【００１１】
第一及び第二の箱体本体側面内側に設けたレール５の構造について説明する。第一の箱体本体２は、それぞれ箱体本体２左右の側板２ｃに箱体内側に凸状となるハット曲げを施し、スライドレール５ｂを形成する。第二の箱体本体３には、コ字状に折曲形成された調節レール５ａを取り付け、スライドレール５ｂに対向させる。また、調節レールは、スライドレールに対向させて第一の箱体本体の側面に曲げ加工を施すことで形成することもできる。
【００１２】
分電盤は、電気機器収納用箱体１にブレーカ等の電気機器を載置して構成するが、収納される機器の大きさや数量により、電線の太さや量が異なり、配線のために必要となるスペースが多くなるので、電気機器収納用箱体１を大きくすることがある。そのような場合、固定ねじを外し、任意の位置に第一の箱体本体２をスライド移動させ、再び固定ねじで締め付け固定する。
【００１３】
箱体本体４の奥行き寸法を任意に変更できるので、数種類の電気機器収納用箱体１を兼用することができ、従来、それぞれの寸法の電気機器収納用箱体１を在庫するのに広くスペースが必要であったものが、在庫品種を減らすことで、在庫のためのスペースも小さくまた、在庫管理の手間が省ける。
【産業上の利用可能性】
【００１４】
第一の箱体本体と第二の箱体本体とを組み合わせて箱体本体を形成し、第一の箱体本体をスライド移動させることで箱体本体の奥行き寸法を変更することができ、在庫時は小さく使用時は大きくすることができる。
【図面の簡単な説明】
【００１５】
【図１】本発明に係る電気機器収納用箱体の実施例を示す説明図である。（実施例１）
【図２】本発明に係る電気機器収納用箱体の実施例を示す説明図である。（実施例１）
【符号の説明】
【００１６】
１    電気機器収納用箱体
２    第一の箱体本体
３    第二の箱体本体
４    箱体本体
５    レール
５ａ  調節レール
５ｂ  スライドレール
６    螺子孔
【図１】
2007274815.tif 000003
【図２】
2007274815.tif 000004